(57)【特許請求の範囲】
【請求項１】
無線リモコン信号送信装置から発信されるＲＦ周波数帯の無線リモコン信号を受信し、前記受信した無線リモコン信号により自装置の動作が制御される無線リモコン信号受信装置であって、
前記無線リモコン信号送信装置により制御される被制御機器に対する同一の指示を連続して前記無線リモコン信号送信装置が受け付けた場合、前記無線リモコン信号は、連続して前記同一の指示を受け付けた回数に関する情報を含んでおり、
前記無線リモコン信号受信装置は、
前記無線リモコン信号を受信する受信部と、
前記受信した無線リモコン信号をデコードして制御コードを生成するデコード部と、
前記制御コードに基づき、所定の動作を実行する動作部と
を備え、
前記デコード部は、前記回数に関する前記情報に基づいて前記制御コードを生成し、
前記受信部が、同一の指示を示す前記無線リモコン信号を断続して受信した場合において、
前記デコード部は、前記断続して受信した回数よりも、前記回数に関する前記情報の方を採用し、前記制御コードを生成する、無線リモコン信号受信装置。
【請求項２】
前記回数に関する前記情報が前記無線リモコン信号送信装置の外部に発信される周期は、前記無線リモコン信号送信装置が前記指示を受け付ける分解能よりも長い、請求項１に記載の無線リモコン信号受信装置。
【請求項３】
無線リモコン信号送信装置から発信されるＲＦ周波数帯の無線リモコン信号を受信し、前記受信した無線リモコン信号により自装置の動作が制御される無線リモコン信号受信装置であって、
前記無線リモコン信号送信装置により制御される被制御機器に対する同一の指示を連続して前記無線リモコン信号送信装置が受け付けた場合、前記無線リモコン信号は、連続して前記同一の指示を受け付けた回数に関する情報を含んでおり、
前記無線リモコン信号受信装置は、
前記無線リモコン信号を受信する受信部と、
前記受信した無線リモコン信号に含まれる前記回数に関する前記情報に基づいて、リモコンコードを出力する出力部と、
前記リモコンコードに基づいて所定の動作を実行する動作部と
を備え、
前記受信部が、同一の指示を示す前記無線リモコン信号を断続して受信した場合において、
前記出力部は、前記断続して受信した回数よりも、前記回数に関する前記情報の方を採用し、前記リモコンコードを出力する、無線リモコン信号受信装置。
【請求項４】
前記回数に関する前記情報が前記無線リモコン信号送信装置の外部に発信される周期は、前記無線リモコン信号送信装置が前記指示を受け付ける分解能よりも長い、請求項３に記載の無線リモコン信号受信装置。
【請求項５】
無線リモコン信号送信装置から発信されるＲＦ周波数帯の無線リモコン信号を受信する方法であって、
前記無線リモコン信号送信装置により制御される被制御機器に対する同一の指示を連続して前記無線リモコン信号送信装置が受け付けた場合、前記無線リモコン信号は、連続して前記同一の指示を受け付けた回数に関する情報を含んでおり、
前記方法は、
前記無線リモコン信号を受信するステップと、
前記受信した無線リモコン信号をデコードして制御コードを生成するステップと、
前記制御コードに基づき、所定の動作を実行するステップと
を含み、
前記制御コードを生成するステップは、前記回数に関する前記情報に基づいて前記制御コードを生成するステップを含み、
前記制御コードを生成するステップは、同一の指示を示す前記無線リモコン信号を断続して受信した場合、前記断続して受信した回数よりも、前記回数に関する前記情報の方を採用し、前記制御コードを生成するステップをさらに含む、方法。
【請求項６】
無線リモコン信号送信装置から発信されるＲＦ周波数帯の無線リモコン信号を受信する方法であって、
前記無線リモコン信号送信装置により制御される被制御機器に対する同一の指示を連続して前記無線リモコン信号送信装置が受け付けた場合、前記無線リモコン信号は、連続して前記同一の指示を受け付けた回数に関する情報を含んでおり、
前記方法は、
前記無線リモコン信号を受信するステップと、
前記受信した無線リモコン信号に含まれる前記回数に関する前記情報に基づいて、リモコンコードを出力するステップと、
前記リモコンコードに基づいて所定の動作を実行するステップと
を含み、
リモコンコードを出力するステップは、同一の指示を示す前記無線リモコン信号を断続して受信した場合、前記断続して受信した回数よりも、前記回数に関する前記情報の方を採用し、前記リモコンコードを出力するステップを含む、方法。
【請求項７】
無線リモコン信号送信装置から発信されるＲＦ周波数帯の無線リモコン信号の受信を無線リモコン信号受信装置に実行させるプログラムであって、
前記無線リモコン信号送信装置により制御される被制御機器に対する同一の指示を連続して前記無線リモコン信号送信装置が受け付けた場合、前記無線リモコン信号は、連続して前記同一の指示を受け付けた回数に関する情報を含んでおり、
前記プログラムは、
前記無線リモコン信号を受信するステップと、
前記受信した無線リモコン信号をデコードして制御コードを生成するステップと、
前記制御コードに基づき、所定の動作を実行するステップと
を前記無線リモコン信号受信装置に実行させるプログラムであり、
前記制御コードを生成するステップは、前記回数に関する前記情報に基づいて前記制御コードを生成するステップを含み、
前記制御コードを生成するステップは、同一の指示を示す前記無線リモコン信号を断続して受信した場合、前記断続して受信した回数よりも、前記回数に関する前記情報の方を採用し、前記制御コードを生成するステップをさらに含む、プログラム。
【請求項８】
無線リモコン信号送信装置から発信されるＲＦ周波数帯の無線リモコン信号の受信を無線リモコン信号受信装置に実行させるプログラムであって、
前記無線リモコン信号送信装置により制御される被制御機器に対する同一の指示を連続して前記無線リモコン信号送信装置が受け付けた場合、前記無線リモコン信号は、連続して前記同一の指示を受け付けた回数に関する情報を含んでおり、
前記プログラムは、
前記無線リモコン信号を受信するステップと、
前記受信した無線リモコン信号に含まれる前記回数に関する前記情報に基づいて、リモコンコードを出力するステップと、
前記リモコンコードに基づいて所定の動作を実行するステップと
を前記無線リモコン信号受信装置に実行させるプログラムであり、
リモコンコードを出力するステップは、同一の指示を示す前記無線リモコン信号を断続して受信した場合、前記断続して受信した回数よりも、前記回数に関する前記情報の方を採用し、前記リモコンコードを出力するステップを含む、プログラム。
【請求項９】
無線リモコン信号送信装置から発信されるＲＦ周波数帯の無線リモコン信号を受信し、前記受信した無線リモコン信号により自装置の動作が制御される無線リモコン信号受信装置であって、
前記無線リモコン信号送信装置は、
前記無線リモコン信号送信装置により制御される被制御機器に対する指示を受け付ける入力受付部と、
前記入力受付部が受け付けた指示に関する情報を含むリモコン信号を生成するリモコン信号生成部と、
前記リモコン信号生成部で生成されたリモコン信号を変調して、無線リモコン信号として前記無線リモコン信号送信装置の外部に発信する発信部と
を備え、
前記入力受付部が、連続して同一の指示を受け付けている場合において、前記リモコン信号生成部が生成するリモコン信号は、前記連続して同一の指示を受け付けた回数に関する情報を含み、
前記無線リモコン信号受信装置は、
前記無線リモコン信号を受信する受信部と、
前記受信した無線リモコン信号をデコードして制御コードを生成するデコード部と、
前記制御コードに基づき、所定の動作を実行する動作部と
を備え、
前記デコード部は、前記回数に関する前記情報に基づいて前記制御コードを生成し、
前記受信部が、同一の指示を示す前記無線リモコン信号を断続して受信した場合において、
前記デコード部は、前記断続して受信した回数よりも、前記回数に関する前記情報の方を採用し、前記制御コードを生成する、無線リモコン信号受信装置。
【請求項１０】
前記回数に関する前記情報が前記無線リモコン信号送信装置の外部に発信される周期は、前記入力受付部が前記指示を受け付ける分解能よりも長い、請求項９に記載の無線リモコン信号受信装置。
【請求項１１】
無線リモコン信号送信装置から発信されるＲＦ周波数帯の無線リモコン信号を受信し、前記受信した無線リモコン信号により自装置の動作が制御される無線リモコン信号受信装置であって、
前記無線リモコン信号送信装置は、
前記無線リモコン信号送信装置により制御される被制御機器に対する指示を受け付ける入力受付部と、
前記入力受付部が受け付けた指示に関する情報を含むリモコン信号を生成するリモコン信号生成部と、
前記リモコン信号生成部で生成されたリモコン信号を変調して、無線リモコン信号として前記無線リモコン信号送信装置の外部に発信する発信部と
を備え、
前記入力受付部が、連続して同一の指示を受け付けている場合において、前記リモコン信号生成部が生成するリモコン信号は、前記連続して同一の指示を受け付けた回数に関する情報を含み、
前記無線リモコン信号受信装置は、
前記無線リモコン信号を受信する受信部と、
前記受信した無線リモコン信号に含まれる前記回数に関する前記情報に基づいて、リモコンコードを出力する出力部と、
前記リモコンコードに基づいて所定の動作を実行する動作部と
を備え、
前記受信部が、同一の指示を示す前記無線リモコン信号を断続して受信した場合において、
前記出力部は、前記断続して受信した回数よりも、前記回数に関する前記情報の方を採用し、前記リモコンコードを出力する、無線リモコン信号受信装置。
【請求項１２】
前記回数に関する前記情報が前記無線リモコン信号送信装置の外部に発信される周期は、前記入力受付部が前記指示を受け付ける分解能よりも長い、請求項１１に記載の無線リモコン信号受信装置。
【発明の詳細な説明】
【技術分野】
【０００１】
本発明は、無線信号を送受信できるリモコン（リモートコントローラー）に関し、特に、被制御機器の誤動作を防止する無線リモコンに関する。
【背景技術】
【０００２】
従来のリモコン技術では、特定の複数の周波数信号を使いわけてリモコン信号を送信することで誤動作を少なくする技術がある（例えば、特許文献１参照）。
【０００３】
特許文献１に記載のリモコン装置は、被制御機器毎に指定された認識コードを、機器の制御態様を示す制御コードに付加し、これらコード情報を電波信号の形態で送信する。このとき、電波信号の周波数を複数の周波数に設定して、周波数毎に、複数の機器から成る特定のグループのみの動作を行なわせる。
【先行技術文献】
【特許文献】
【０００４】
【特許文献１】特開平１１−１１３０７６号公報
【発明の概要】
【発明が解決しようとする課題】
【０００５】
従来の技術では、送信するリモコン信号が赤外線リモコン信号（以下、赤外線はＩＲとも表現する）ではなく無線リモコン信号（以下、無線はＲＦとも表現する）であった場合に、電波干渉が発生すると、被制御機器に対し、リモコンから送信されるリモコン信号の一部が途切れて到達したり、再送処理により遅延して到達したりすることが発生して、被制御機器の機能が正常に動作しない不具合が発生する課題がある。
【０００６】
例えば、リモコンの釦の長押し時に、電波障害により無線通信が所々途切れた場合、被制御機器は誤って連続クリックと判断してしまい、ユーザが意図した正常な動作が行えないことになる。また、リモコンの釦を連続クリックしたときに、無線通信の一部が途切れると、被制御機器はクリックの回数を誤って認識することになり、ユーザが意図した正常な動作が行えないことになる。
【０００７】
本発明は、上記課題を鑑みてなされたものであり、無線通信の一部が途切れた場合でも、ユーザが意図した操作を被制御機器が正しく認識することができる無線リモコン信号を発信するリモコン、およびその無線リモコン信号に基づいて動作する被制御機器を提供する。
【課題を解決するための手段】
【０００８】
本発明の無線リモコン信号送信装置は、ＲＦ周波数帯の無線リモコン信号を発信する無線リモコン信号送信装置であって、前記無線リモコン信号送信装置により制御される被制御機器に対する指示を受け付ける入力受付部と、前記入力受付部が受け付けた指示に関する情報を含むリモコン信号を生成するリモコン信号生成部と、前記リモコン信号生成部で生成されたリモコン信号を変調して、無線リモコン信号として自装置の外部に発信する発信部とを備え、前記入力受付部が、連続して同一の指示を受け付けている場合において、前記リモコン信号生成部が生成するリモコン信号は、前記連続して同一の指示を受け付けた回数および前記連続して同一の指示を受け付けた時間の少なくとも一方に関する情報を含むことを特徴とする。
【０００９】
ある実施形態において、前記回数および前記時間の少なくとも一方に関する前記情報が自装置の外部に発信される周期は、前記入力受付部が前記指示を受け付ける分解能よりも長くてもよい。
【００１０】
本発明の無線リモコン信号受信装置は、前記無線リモコン信号送信装置から発信される前記無線リモコン信号を受信し、前記受信した無線リモコン信号により自装置の動作が制御される無線リモコン信号受信装置であって、前記無線リモコン信号受信装置は、前記無線リモコン信号を受信する受信部と、前記受信した無線リモコン信号をデコードして制御コードを生成するデコード部と、前記制御コードに基づき、所定の動作を実行する動作部とを備え、前記デコード部は、前記回数および前記時間の少なくとも一方に関する前記情報に基づいて前記制御コードを生成することを特徴とする。
【００１１】
ある実施形態において、前記受信部が、同一の指示を示す前記無線リモコン信号を断続して受信した場合においては、前記デコード部は、前記断続して受信した回数よりも、前記回数および前記時間の少なくとも一方に関する前記情報の方を採用し、前記制御コードを生成してもよい。
【００１２】
また、本発明の無線リモコン信号受信装置は、前記無線リモコン信号送信装置から発信される前記無線リモコン信号を受信し、前記受信した無線リモコン信号により自装置の動作が制御される無線リモコン信号受信装置であって、前記無線リモコン信号受信装置は、前記無線リモコン信号を受信する受信部と、前記受信した無線リモコン信号に含まれる前記回数および前記時間の少なくとも一方に関する前記情報に基づいて、リモコンコードを出力する出力部と、前記リモコンコードに基づいて所定の動作を実行する動作部とを備えることを特徴とする。
【００１３】
ある実施形態において、前記受信部が、同一の指示を示す前記無線リモコン信号を断続して受信した場合においては、前記出力部は、前記断続して受信した回数よりも、前記回数および前記時間の少なくとも一方に関する前記情報の方を採用し、前記リモコンコードを出力してもよい。
【００１４】
本発明のＲＦ周波数帯の無線リモコン信号を送信する方法は、被制御機器に対する指示を受け付けるステップと、前記受け付けた指示に関する情報を含むリモコン信号を生成するステップと、前記生成されたリモコン信号を変調して、無線リモコン信号として発信するステップとを含み、前記連続して同一の指示を受け付けている場合において、前記リモコン信号は、前記連続して同一の指示を受け付けた回数および前記連続して同一の指示を受け付けた時間の少なくとも一方に関する情報を含むことを特徴とする。
【００１５】
本発明のプログラムは、ＲＦ周波数帯の無線リモコン信号の送信を無線リモコン信号送信装置に実行させるプログラムであって、前記プログラムは、被制御機器に対する指示を受け付けるステップと、前記受け付けた指示に関する情報を含むリモコン信号を生成するステップと、前記生成されたリモコン信号を変調して、無線リモコン信号として発信するステップとを前記無線リモコン信号送信装置に実行させるプログラムであり、前記連続して同一の指示を受け付けている場合において、前記リモコン信号は、前記連続して同一の指示を受け付けた回数および前記連続して同一の指示を受け付けた時間の少なくとも一方に関する情報を含むことを特徴とする。
【発明の効果】
【００１６】
本発明によれば、無線リモコン信号は、連続して同一の指示を受け付けた回数および連続して同一の指示を受け付けた時間の少なくとも一方に関する情報を含む。これにより、電波障害等により無線通信の一部が途切れた場合でも、ユーザが意図した操作を被制御機器は正しく認識することができる。また、電波干渉等により無線通信の一部が途切れても、リモコン釦の押下条件を被制御機器の機能動作モードに応じて使い分けることができ、リモコンの誤動作を防止することができる。
【図面の簡単な説明】
【００１７】
【図１】本発明の実施形態１におけるリモコン送受信システムを示す図である。
【図２】本発明の実施形態１におけるリモコンを示す図である。
【図３】本発明の実施形態１における被制御機器を示す図である。
【図４】本発明の実施形態１における無線リモコン信号のデータ構成を示す図である。
【図５】本発明の実施形態１における連続長押し動作をした時の付加情報を示す図である。
【図６】本発明の実施形態１における連続クリック動作をした時の付加情報を示す図である。
【発明を実施するための形態】
【００１８】
図１は、本発明の実施形態１におけるリモコン送受信システム１００を示す図である。図１に示すように、リモコン送受信システム１００にはリモコン（無線リモコン信号送信装置）１０１および被制御機器（無線リモコン信号受信装置）１０２が含まれる。
【００１９】
図２は、本実施形態１におけるリモコン１０１を示す図である。リモコン１０１は、リモコン釦である入力受付部２０１、釦の判定とそれに応じた送出の元になるリモコン信号を生成するキーマイコン２０２、リモコン信号を所定のＲＦ方式にデータ構成するＲＦ送信マイコン２０４、ＩＲ信号を送出するＩＲ信号送信部２０３およびＲＦ信号を送出するＲＦ信号送信部２０５を備える。
【００２０】
入力受付部２０１はユーザの指示を受け付ける受付部であり、例えば、リモコン１０１に設置された釦が該当する。入力受付部２０１は、ユーザによる被制御機器１０２に対する再生や停止などの制御指示を受け付ける。また、リモコン１０１から出力するリモコン信号をＩＲリモコン信号とするかＲＦリモコン信号とするかに関する指示を受け付ける。また、入力受付部２０１はタッチパネルディスプレイであってもよく、この場合、釦はディスプレイに表示される。また、リモコン１０１は、スマートフォン等の携帯端末であってもよい。
【００２１】
キーマイコン２０２は、ユーザによる被制御機器１０２に対する制御指示に応じて、リモコン信号を生成する。また、入力受付部２０１において、リモコン１０１から出力するリモコン信号をＩＲリモコン信号とする旨を受け付けた場合は、ＩＲ信号送信部２０３に生成したリモコン信号を出力する。一方、リモコン１０１から出力するリモコン信号をＲＦリモコン信号とする旨を受け付けた場合は、ＲＦ送信マイコン２０４に生成したリモコン信号を出力する。
【００２２】
ＩＲ信号送信部２０３は、キーマイコン２０２からリモコン信号を受け付けた場合には、そのリモコン信号に約３７ＫＨｚの搬送波を重畳してＩＲ信号として、リモコン１０１の外部に出力する。
【００２３】
ＲＦ送信マイコン２０４は、キーマイコン２０２からリモコン信号を受け付けた場合には、そのリモコン信号からデータパケットを生成してＲＦ信号送信部２０５に出力する。ＲＦ送信マイコン２０４は、例えば、リモコン信号をＲＦ４ＣＥ規格で定められたパケット構成にしたデータパケットとしてＲＦ信号送信部２０５に出力する。
【００２４】
ＲＦ信号送信部２０５はデータパケットを変調信号に変換してＲＦリモコン信号（無線リモコン信号）として、リモコン１０１の外部に出力する。ＲＦ信号送信部２０５は、例えば、データパケットをＩＥＥＥ８０２．１５．４の規格に準拠した変調信号に変換してＲＦリモコン信号を生成する。無線通信の周波数は、例えば、２．４ＧＨｚ帯である。
【００２５】
図３は、本実施形態１における被制御機器１０２を示す図である。被制御機器１０２は、ＲＦ信号受信部３０１、ＩＲ信号受信部３０２、ＲＦ受信マイコン３０３、切換スイッチ３０４、タイマーマイコン３０５、システム信号処理部３０６を備える。また、図３は被制御機器の一例としてハードディスク内蔵光ディスクレコーダを示しており、被制御機器１０２は、ＨＤＤ３０７、ディスク制御部３０８、ＨＤＭＩ出力部３０９を備える。被制御機器１０２はレコーダに限定されず、例えばテレビである場合は、ＨＤＤ３０７やディスク制御部３０８の代わりに画像信号処理部や表示部を備えてもよい。また、被制御機器１０２は、エアコン等の各種家電製品であってもよい。
【００２６】
ＲＦ信号受信部３０１はＲＦリモコン信号を受信する。ＩＲ信号受信部３０２はＩＲ信号を受信する。ＲＦ受信マイコン３０３は、受信したＲＦリモコン信号をデコードし、デコード結果と被制御機器の機能動作モードとに応じた被制御機器制御用のリモコンコードデータを出力する。切換スイッチ３０４は、ＲＦ受信マイコン３０３およびＩＲ信号受信部３０２からの被制御機器制御用のリモコンコードデータの経路を切り換える。タイマーマイコン３０５は、切換スイッチ３０４の出力信号が入力され、システム信号処理部用にデータ変換した信号を送出する。システム信号処理部３０６は、ＨＤＤ３０７、ディスク制御部３０８、ＨＤＭＩ出力部３０９との通信インターフェースを持つとともに、被制御機器１０２の機能動作モードをＲＦ受信マイコン３０３に送信する。
【００２７】
ＲＦ信号受信部３０１は、ＲＦ信号送信部２０５（図２）から送信されたＲＦリモコン信号を受信して、そのＲＦリモコン信号に含まれるリモコンコードを抽出する。ＲＦ受信マイコン３０３は、抽出されたリモコンコードを切換スイッチ３０４に出力する。
【００２８】
切換スイッチ３０４は、ＲＦ信号受信部３０１でリモコン信号を受信するか、ＩＲ信号受信部３０２でリモコン信号を受信するかに関する指示をＲＦ受信マイコン３０３から受け付ける。切換スイッチ３０４は、ＲＦ信号受信部３０１でリモコン信号を受信する旨を受け付けた場合は、ＲＦ信号受信部３０１で受信したリモコン信号を、ＲＦ受信マイコン３０３を介して、タイマーマイコン３０５に送信する。一方で、ＩＲ信号受信部３０２で受信したリモコン信号はタイマーマイコン３０５に送信しない。また、切換スイッチ３０４は、ＩＲ信号受信部３０２でリモコン信号を受信する旨を受け付けた場合は、ＩＲ信号受信部３０２で受信したリモコン信号をタイマーマイコン３０５に送信する一方で、ＲＦ信号受信部３０１で受信したリモコン信号に関する信号はタイマーマイコン３０５に送信しない。
【００２９】
ＲＦ信号受信部３０１で受信したＲＦリモコン信号を用いる場合、タイマーマイコン３０５は、ＲＦ受信マイコン３０３から出力されたリモコン信号をシステム信号処理部３０６用にデコードおよび変換した機器制御コードとして、システム信号処理部３０６に出力する。
【００３０】
ＨＤＤ３０７は、コンテンツを記録可能な記録媒体である。また、ディスク制御部３０８は、光ディスクに記録されているコンテンツを読み出したり、光ディスクにコンテンツを記録する。
【００３１】
システム信号処理部３０６は、タイマーマイコン３０５から受信した機器制御コードに応じて、所定の動作をする。具体的には、例えば以下の動作をする。第１には、ＨＤＤ３０７に記憶されているコンテンツを読み出して、そのコンテンツの映像信号および音声信号をＨＤＭＩ出力部３０９へ出力する。第２には、ディスク制御部３０８が光ディスクに記憶されているコンテンツを読み出すように制御し、読み出したコンテンツをＨＤＭＩ出力部３０９へと出力する。第３には、ＨＤＤ３０７に記録されているコンテンツを、ディスク制御部３０８を制御することで光ディスクに記録する。第４には、ＨＤＤ３０７に記録されているコンテンツもしくは光ディスクに記録されているコンテンツのリストに関する映像信号を生成し、ＨＤＭＩ出力部３０９へ出力する。
【００３２】
ＨＤＭＩ出力部３０９は、被制御機器１０２に接続されたモニタ等に映像信号や音声信号を出力する。システム信号処理部３０６からＲＦ受信マイコン３０３には、被制御機器の機能動作状態を通知するためのシリアル信号を付加する。被制御機器の機能動作状態については後述する。
【００３３】
図４は、本実施形態における無線リモコン信号のデータ構造を示す図である。無線リモコン信号のデータは、リモコンと被制御機器間の通信プロトコル確立のためのフレームコントロール情報（８ビット）、フレーム番号を示すフレームカウンター（３２ビット）、ネットワーク通信許可禁止を決めるための機器カテゴリー情報（ベンダーＩＤ）（８ビット）、被制御機器の機能選択や状態遷移などを決めるリモコンコード（ＩＲコード）（４８ビット）、干渉対策のために新たに付加された付加情報（１６ビット）、および改ざん防止情報であるＭＩＣ情報（３２ビット）を含む。
【００３４】
付加情報は、リモコン釦を押下している間は有効になるプレスビット（１ビット）、押下後押下解除されたら一定期間有効になるリリースビット（１ビット）、１つの釦を連続して押下する連続長押し動作の積算時間を示す時間カウンタ（秒数カウンタビット）（全８ビット、１ビット当たり約６０ｍｓ、最長約１５秒）、１つの釦を連続的に押下、解除を繰り返す連続クリック動作時の押下回数カウンタ（回数カウンタビット）（４ビット、最大６３回）、予備ビット（２ビット）を含む。
【００３５】
無線リモコン信号の送受信の一般的な方法としては、送信後規定時間以内に、送信先からのアクノリッジ信号を送信元が受信できなかった場合には、同じデータを送信する再送送信処理をする。上記再送送信処理は予め設定された規定回数実行される。本実施形態の無線リモコン信号通信においても、同処理が行われ得る。
【００３６】
リモコン１０１がＲＦ信号送信部２０５からＲＦリモコン信号を出力する設定となっていた場合における、ＲＦ送信マイコン２０４におけるリモコンコードの生成動作について説明する。以下に説明する付加情報の生成は、ＲＦ送信マイコン２０４により実行される。
【００３７】
具体例として、ダビング機能キャンセル用にリモコンのキャンセル釦を３秒以上連続で押下した状態を説明する。
【００３８】
連続長押し動作をした時にＲＦ信号送信部２０５から出力されるデータの構成について、特に本実施形態のリモコン１０１の特徴である付加情報を中心に説明する。
【００３９】
図５は連続長押し動作をした時の付加情報を示す図である。この例では、入力受付部２０１のキャンセル釦をユーザが長押しする。キャンセル釦をユーザが押した状態をＯＮ、キャンセル釦を離した状態をＯＦＦで表している。キャンセル釦を押したときに出力されるデータの付加情報のプレスビットは１である。一方、リリースビットは０である。秒数カウンタビットは、例えば、６０ｍｓｅｃごとに１ずつ増加する。つまり、キャンセル釦を押下してから、６０ｍｓｅｃが経過するまでは、１である。キャンセル釦を押下してから、６０ｍｓｅｃ〜１２０ｍｓｅｃ経過するまでは、２である。以後、６０ｍｓｅｃ経過するごとに１ずつ増加する。なお、秒数カウンタビットは、ある一定値にまで増加した場合は、それ以上値を増加させなくても長押しであることが認識できるので、その値を維持してもよい。
【００４０】
回数カウンタビットは、１である。このように、キャンセル釦を長押しした場合には、プレスビットは１であり、リリースビットは０であり、回数カウンタビットは、１である。秒数カウンタビットは長押ししている間は時々刻々と増加する。
【００４１】
一方、キャンセル釦の長押しを停止した場合（つまり、ユーザがキャンセル釦を離した場合）には、付加情報のプレスビットは１から０へと切り替わる。また、リリースビットは０から１に切り替わる。秒数カウンタビットは、出力中の値を維持する。回数カウンタビットは、出力中の値を維持する。この例では、回数カウンタビットは１を維持する。一定時間経過後、全てのビットは０に戻り、リモコン１０１はユーザからの指示を待つ状態になる。
【００４２】
このようにして、リモコン１０１の入力受付部２０１のキャンセル釦が長押しされた場合に、その長押しした時間に関する情報を、付加情報の秒数カウンタビットに重畳して、送信することができる。
【００４３】
なお、釦の長押しがありえないほど長時間（例えば３分間）続いた場合は、正常な操作状態ではないと判断し、節電のために無線リモコン信号の発信を停止してもよい。
【００４４】
次に、連続クリック動作時の具体例として、録画済み番組リストの選択を行うための上方向釦または下方向釦を押下した状態を説明する。
【００４５】
図６は連続クリック動作をした時の付加情報を示す図である。この例では、入力受付部２０１の上方向（または下方向）の釦をユーザが連続クリックする。釦をユーザが押した状態をＯＮ、釦を離した状態をＯＦＦで表している。釦を押した場合に出力されるデータの付加情報のプレスビットは１である。一方、リリースビットは０である。秒数カウンタビットは、上述のように押下時間により変化する。回数カウンタビットは、１である。
【００４６】
その後、ユーザが押していた釦を離し、所定の時間内（例えば、１秒以内）に同じ釦を押下した場合の付加情報について説明する。この場合、プレスビットは１である。一方、リリースビットは０である。秒数カウンタビットは、上述のように押下時間により変化する。また、同じ釦が押下されたので、回数カウンタビットは、２である。
【００４７】
以降、同じ釦を離して再び押下するとの動作を繰り返すたびに、回数カウンタビットは、１ずつ増加する。
【００４８】
このようにして、リモコン１０１の入力受付部２０１の釦が連続クリックされた場合に、その回数情報を、付加情報の回数カウンタビットに重畳して、送信することができる。
【００４９】
図４に示すデータの１単位は、数十ミリ秒（例えば５８．８ｍｓ）毎にリモコン１０１から発信される。すなわち、付加情報は数十ミリ秒（例えば５８．８ｍｓ）毎にリモコン１０１から発信される。また、入力受付部２０１がユーザからの指示を受け付けるときの分解能（センシングの１周期）は、例えば２０〜４０ｍｓである。入力受付部２０１の分解能よりも長い周期で、付加情報を発信することにより、釦操作を確実に付加情報に反映させることができる。
【００５０】
以上のような付加情報を含む無線リモコン信号がリモコン１０１から送信された場合の被制御機器１０２の受信動作を以下に説明する。
【００５１】
ＲＦ受信マイコン３０３は、システム信号処理部３０６の機能動作状態に応じて付加情報を使い分ける。共通処理としてＲＦ受信マイコンでプレスビットを検出し、その時の機能動作状態との組み合わせでキー有効と判断したら、次段のタイマーマイコン３０５にリモコンコードを送出する。タイマーマイコン３０５は、付加情報が示す秒数カウンタビットおよび回数カウンタビットの少なくとも一方を反映させた機器制御コードを生成して、システム信号処理部３０６に出力する。システム信号処理部３０６は、機器制御コードに応じた動作を行う。その後、ＲＦ受信マイコン３０３は、同一リモコンコードでリリースビット“１”を検出したら、直ちにタイマーマイコン３０５への送出を停止する。
【００５２】
また、ＲＦ受信マイコン３０３は、秒数カウンタビットが増え続けている間（あるいは“０”以外である間）は同じリモコンコードをタイマーマイコン３０５へ送出し続け、リリースビット“１”（あるいは秒数カウンタビット“０”）を検出したら、タイマーマイコン３０５への送出を停止する動作を行ってもよい。これにより連続長押し時間を動作に正確に反映させることができる。また、無線通信の一部が途切れた場合であっても、合計の送出時間が秒数カウンタビットから導かれる時間と同じとなるように、リモコンコードを送出することにより、連続長押し時間を動作に正確に反映させることができる。また、このようなリモコンコードがシステム信号処理部３０６に送出されてもよく、この場合には、システム信号処理部３０６はリモコンコードの送出状況を認識することにより、連続長押し時間を動作に正確に反映させることができる。
【００５３】
また、ＲＦ受信マイコン３０３は、あるリモコンコードを送出し、その次に受信した回数カウンタビットの値が直前に受信した値よりも増えていた場合は、直前に送出したものと同じリモコンコードをタイマーマイコン３０５へ送出してもよい。これにより連続クリック回数を動作に正確に反映させることができる。また、無線通信の一部が途切れた場合であっても、合計の送出回数が回数カウンタビットの値と同じとなるように、リモコンコードを送出することにより、連続クリック回数を動作に正確に反映させることができる。また、このようなリモコンコードがシステム信号処理部３０６に送出されてもよく、この場合には、システム信号処理部３０６はリモコンコードの送出状況を認識することにより、連続クリック回数を動作に正確に反映させることができる。
【００５４】
機能動作状態とは、例えば、ダビング機能動作中や、ＨＤＤ３０７やディスクに記録されているコンテンツの一覧表示状態などである。
【００５５】
このように付加情報に応じて、被制御機器１０２の動作が決まる。したがって、長押し時に電波障害によりＲＦリモコン信号の一部が途切れた場合であっても、被制御機器１０２は誤って連続クリックと判断することを抑制することができる。また、連続クリックの場合に、電波障害によりＲＦリモコン信号の一部が途切れた場合であっても、被制御機器１０２は正しいクリックの回数を認識することができる。ＲＦリモコン信号の一部が途切れ、同一の指示を示す無線リモコン信号を断続して受信した場合においても、その断続して受信した回数に応じた機器制御コードを生成することなく、付加情報の方を採用して機器制御コードを生成することにより、ユーザが意図した操作を被制御機器は正しく実行することができる。
【００５６】
次に、機能動作状態に応じたＲＦ受信マイコン３０３の動作について説明する。まず、ダビング機能動作中にキャンセル釦コードを受信した場合について説明する。ここで、ダビング動作とは、例えば、ＨＤＤ３０７に記録されているコンテンツを光ディスクに書き込む動作のことを示す。ダビング時のキャンセルについては、ユーザが誤ってキャンセル釦を押した場合でもダビングの動作が止まらないようにする為に、キャンセル釦を長押しした場合にダビングが停止する仕様にすることがあり、本実施形態の被制御機器１０２はその様な仕様を採用しているとする。
【００５７】
ダビング機能動作中のキャンセル釦コードを受信した場合、ＲＦ受信マイコン３０３は付加情報の秒数カウンタビットの値が５０（確定最低時間３秒）に達したかを判定する。ＲＦ受信マイコン３０３は、付加情報の秒数カウンタビットの値が５０に達していない場合、タイマーマイコン３０５への同一リモコンコードの送出を継続し、付加情報の秒数カウンタビットの値が５０に達した後は送出を停止する。
【００５８】
このようにすることで、電波干渉のために通信信号の一部が途切れても、次に受信できた信号の付加情報の秒数カウンタビットを検出することで、連続長押しであることが認識できる。そのため、多少の処理遅れは発生するが、機能動作としては正しく行われる。また、ダビング機能動作中のキャンセル釦コードを受信した場合に、キャンセル釦の押下の回数情報は不要である。そこで、ダビング機能動作中には、ＲＦ受信マイコン３０３は、キャンセル釦の押下の回数情報を切換スイッチ３０４に送信しないとしてもよい。
【００５９】
次に、コンテンツの一覧表示状態において、上方向釦または下方向釦の連続クリック動作が行われたときの被制御機器１０２の動作を説明する。
【００６０】
コンテンツの一覧表示状態において、上方向釦コード（または下方向釦コード）を受信した場合、ＲＦ受信マイコン３０３は付加情報の回数カウンタビットの値を抽出する。ＲＦ受信マイコン３０３は、上方向釦（または下方向釦）のリモコンコードと共に、回数カウンタビットの値をタイマーマイコン３０５に出力する。
【００６１】
このようにすることで、電波干渉のために通信信号の一部が途切れても、次に受信できた信号の付加情報の回数カウンタビットを検出することで、正しい連続クリック回数を認識することができる。これにより、多少の処理遅れは発生するが、機能動作としては正しく行われる。また、コンテンツの一覧表示状態中に、上方向釦コード（または下方向釦コード）を受信した場合に、釦の押下の秒数情報は不要である。そこで、コンテンツの一覧表示状態においては、ＲＦ受信マイコン３０３は、そのような秒数情報を切換スイッチ３０４に送信しないとしてもよい。
【００６２】
このように、ＲＦ受信マイコン３０３は、機器動作状態に応じて、切換スイッチ３０４に送るべき付加情報を選別する選別部としても機能する。これにより、切換スイッチ３０４より後段の回路（タイマーマイコン３０５）の処理を軽減することができる。
【００６３】
上述したように、本実施形態のリモコン１０１は、ＲＦ周波数帯の無線リモコン信号を発信する。入力受付部２０１は、リモコン１０１により制御される被制御機器１０２に対する指示を受け付ける。リモコン信号生成部（キーマイコン２０２およびＲＦ送信マイコン２０４）は、入力受付部２０１が受け付けた指示に関する情報を含むリモコン信号を生成する。発信部（ＲＦ信号送信部２０５）は、リモコン信号生成部で生成されたリモコン信号を変調して、無線リモコン信号としてリモコン１０１の外部に発信する。入力受付部２０１が連続して同一の指示を受け付けている場合において、リモコン信号生成部が生成するリモコン信号は、連続して同一の指示を受け付けた回数および連続して同一の指示を受け付けた時間の少なくとも一方に関する付加情報を含む。
【００６４】
また、被制御機器１０２は、リモコン１０１から発信される無線リモコン信号を受信し、その受信した無線リモコン信号により被制御機器１０２の動作が制御される。ＲＦ信号受信部３０１は、無線リモコン信号を受信する。デコード部（ＲＦ受信マイコン３０３およびタイマーマイコン３０５）は、受信した無線リモコン信号をデコードして制御コードを生成する。デコード部は、回数および時間の少なくとも一方に関する情報に基づいて制御コードを生成する。動作部（システム信号処理部３０６）は、制御コードに基づき、所定の動作を実行する。また、ＲＦ受信マイコン３０３は、回数および時間の少なくとも一方に関する情報に基づいてリモコンコードを出力する出力部として機能し、動作部（システム信号処理部３０６）は、その出力されたリモコンコードに基づいて所定の動作を実行してもよい。
【００６５】
（他の実施形態）
なお、上述の実施形態１の説明において、リモコン１０１は、ＩＲ信号を送信するＩＲリモコン信号送信部２０３と、ＲＦ信号を送信するＲＦ信号送信部２０５を備えていた。しかし、ＩＲ信号送信部２０３は必ずしも備える必要は無い。つまり、ＲＦ信号送信部２０５を備えていれば、ＩＲ信号送信部２０３を備えていなくとも本発明に含まれる。また、同様に、被制御機器１０２は、ＩＲ信号受信部３０２を備えていなくてもよく、この場合は切替スイッチ３０４も備えていなくてもよい。
【００６６】
なお、上述の実施形態１の説明において、長押し動作や連続クリック動作は、ダビング機能動作状態やコンテンツ一覧表示状態のときの動作として説明したが、これらは例示であり、本発明はこれらに限定されない。
【００６７】
また、リモコン１０１は、リモコン専用機器であってもよいし、スマートフォンのような携帯端末機器であってもよい。リモコン１０１が携帯端末機器である場合は、上述した付加情報を含む無線リモコン信号を生成して発信する動作を携帯端末機器に実行させるコンピュータプログラムを、携帯端末機器にインストールすることにより、そのような動作を実行することができる。コンピュータプログラムは、それが記録された記録媒体（光ディスク、半導体メモリ等）からインストールしてもよいし、インターネット等の電気通信回線を介してダウンロードしてもよい。
【産業上の利用可能性】
【００６８】
本発明は、ＲＦリモコン信号を用いて機器の制御を行う技術分野において特に有用である。
【符号の説明】
【００６９】
１０１  リモコン
１０２  被制御機器
２０１  入力受付部
２０２  キーマイコン
２０３  ＩＲ信号送信部
２０４  ＲＦ送信マイコン
２０５  ＲＦ信号送信部
３０１  ＲＦ信号受信部
３０２  ＩＲ信号受信部
３０３  ＲＦ受信マイコン
３０４  切換スイッチ
３０５  タイマーマイコン
３０６  システム信号処理部
３０７  ＨＤＤ
３０８  ディスク制御部
３０９  ＨＤＭＩ出力部
【図１】
0005444455.tif 000002
【図２】
0005444455.tif 000003
【図３】
0005444455.tif 000004
【図４】
0005444455.tif 000005
【図５】
0005444455.tif 000006
【図６】
0005444455.tif 000007